【事件の表示】
　平成　６年特許願第３２１９２７号「プレゼンマウスシステム」拒絶査定に対する審判事件［平成　８年　７月１２日出願公開、特開平　８−１７９８８０］について、次のとおり審決する。
【結　論】
　本件審判の請求は、成り立たない。
【理　由】
【１】本願発明
　本願は、平成６年１２月２６日の出願であって、その請求項１乃至２に係る発明は、明細書及び図面の記載からみて、平成９年３月３１日付及び平成１３年１月２９日付け手続補正書によって補正された明細書の特許請求の範囲の請求項１乃至２に記載されたとおりの「プレゼンマウスシステム」であると認められるところ、当該請求項１に記載された発明（以下、「本願発明１」という。）は、次のとおりのものである。
「【請求項１】　使用者の操作によるカーソル位置情報及び所定の操作情報を所定の送信部を介して無線送信するプレゼンマウスと、
　このプレゼンマウスから無線送信されるカーソル位置情報及び所定の操作情報を受信し、所定のディスプレイ上のカーソルの移動，停止及び所定の操作動作を制御する上位機に送り込む受信機とを備え、
　前記プレゼンマウスは、把持部と、把持部より突出した突出部と、前記カーソル位置情報を入力するポインティングボールと、前記操作情報を入力する操作スイッチとを有し、前記ポインティングボールを前記把持部の上面に配置すると共に、前記操作スイッチを前記突出部に配置し、前記ポインティングボールに当接された摩擦部材を設けたことを特徴とするプレゼンマウスシステム。」
　
【２】引用刊行物
(1)刊行物１（特開平６−３５６０２号公報、平成６年２月１０日公開）
　当審において、平成１２年１１月１４日付けで通知した拒絶理由で引用した刊行物１〜３のうち、刊行物１（特開平６−３５６０２号公報）には、従来技術及び実施例、図面第１図乃至第４図の記載を参酌すると、以下の記載が認められる。
(i)　（段落番号【００１０】）
　「同図において、１０はリモートコントロール用のコマンダである。このコマンダ１０には、図示せずもマウス機能が付加されている。すなわち、コマンダ１０本体に従来周知のジョイスティックのスティックに相当するボールが配設されており（図示せず）、このボールを所定方向に回転させることでカーソルを所定方向に移動させることができる。なお、ボールの回転角によってカーソルの移動速度を調整でき、手を離すことでボールは元の位置に復帰する。」、
(ii)　（段落番号【００１４】）
　「一方、コマンダ１０がマウスモードとされ、このコマンダ１０よりマウス信号を示す赤外線コードが出力される場合には、受光部１ａよりその赤外線コードに対応する信号が出力されるため、コントローラ１ｂの制御によってマウス信号変換回路１ｃが動作してマウス信号Ｓｍに変換される。」、
(iii)　（段落番号【００１７】）
　「本例は以上のように構成され、例えばプレゼンテーションを行なう場合、プレゼンテータ４がマウスモードでコマンダ１０を操作すると、マウス信号がディスプレイ１を介してコンピュータ２のマウスラインに供給されてコンピュータ２が操作される。そして、コンピュータ２からはその操作に対応した表示信号がディスプレイ１に供給されて表示される。」、
(iv)　（段落番号【００２４】）
　「なお、上記実施例においては、マウス機能付のコマンダ１０で操作する例を示したものであるが、例えばマウス機能のみを有するもの（ワイヤレスマウス）で操作することもでき、またワイヤレスキーボードでキーボード操作するように構成することもできる。また、上述実施例は赤外線コードによるワイヤレス方式のものを示したが、ＲＦ信号等によるワイヤレス方式でもよく、さらにはワイヤード方式の構成とすることもできる。」、
　
 (2)刊行物２（実願平２−１００８５号（実開平３−１００９３８号）のマイクロフィルム、平成３年１０月２２日公開）
　同じく刊行物２（実願平２−１００８５号（実開平３−１００９３８号）のマイクロフィルム）には、従来技術及び実施例、図面第２図の記載を参酌すると、以下の記載が認められる。
(i)　（第７頁第２行−第８頁第１１行）
「本考案においては、片手で掌持される中空筒状のケーシングの上部に回転可能に保持された回転球をケーシングを片手で掌持した状態で上方から親指等で所定方向に回転させることにより・・・（中略）・・・一方、筒状のケーシングの外周把持面の適所にはクリックスイッチ等のスイッチの操作釦が設けられているので、ケーシングを前記のように片手で把持した状態でこれらの釦位置に当てられている、たとえば人差指又は中指等でこの釦を押圧することにより容易なスイッチ操作が可能である。・・・（中略）・・・またスイッチからのＯＮ−ＯＦＦ出力も同様にしてコンピュータに導出されるがこれら電気信号はいずれも装置からケーブルを介してコンピュータ本体に接続される。」、
(ii)　（第１０頁第９−２０行）
「第２図はこのような原理に基づいて具現化された本考案装置の一実施例の一部縦断側面図である。図中、合成樹脂製のケーシング１は掌中に確実に保持できるような大きさおよび外周面形状の中空筒体として成形され、ケーシング１を図示の縦方向位置で把持した際に人差指ないし小指に当たる各部分に把持凹面１ａ〜１ｄをまたこれと対向する掌部分に曲面１ｅを形成してある。・・・（中略）・・・たとえば前記第１図に示したＸ−軸およびＹ−軸方向に回転するようになされている。」
(iii)　（第１２頁第７−１２行）
「さらに本実施例においては、ケーシング１の把持外周面の前記人差指および中指に対応する凹部１ａ、１ｂの位置に開口部１ｇ、１ｈが設けられ、これら開口部には筒径方向に操作されるクリックスイッチ１３、１４の操作釦１５、１６が突設されている。」
(iv)　（第１３頁第１４−１７行）
「特に回転球４はベアリング３、３で弾接保持されているので装置がどのような角度で傾けられていても常に所要のＸ−軸およびＹ−軸方向の円滑な回転が可能である。」
　
【３】対比、判断
（対比）
　本願発明１と、刊行物１に記載された発明とを対比する。
　刊行物１記載の発明の「プレゼンテータ（４）」、「コマンダ（１０）」、「コンピュータ（２）」、「受光部（１ａ）、コントローラ（１ｂ）、マウス信号変換回路（１ｃ）」、「ボール」は、それぞれ本願発明１の「操作者」、「プレゼンマウス」、「上位機」、「受信機」、「ポインティングボール」に相当する。
　また、一般に、「マウス信号」は、カーソル位置情報とマウスボタンの操作情報とを含むものであることが技術常識であるから、刊行物１記載の発明において、コマンダから送信される「マウス信号」も、少なくとも、カーソル位置情報と、所定の操作情報とを含むものである。
　また、刊行物１に記載された発明は、コマンダが送信部を備える点について明記されていないが、刊行物１記載の発明のコマンダは、マウス信号を無線送信する機能を有するものであるから、当然に、無線信号の「送信部」を備えるものである。
　そうすると、本願発明１と上記刊行物１に記載された発明とは、以下のとおりの一致点及び相違点を有する。
（一致点）
「操作者の操作によるカーソル位置情報及び所定の操作情報を所定の送信部を介して無線送信するプレゼンマウスと、このプレゼンマウスから無線送信されるカーソル位置情報及び所定の操作情報を受信し、所定のディスプレイ上のカーソルの移動、停止及び所定の操作動作を制御する上位機に送り込む受信機とを備え、前記プレゼンマウスはカーソル位置情報を入力するポインティングボールを有する、プレゼンマウスシステム」、
（相違点）
（ア）　本願発明１におけるプレゼンマウスは、把持部を有し、ポインティングボールを把持部の上面に配置し、操作情報を入力する操作スイッチを把持部より突出した突出部に配置するものであるのに対して、刊行物１記載の発明では、その具体的な構成が明らかでない点、
（イ）　本願発明１においては、ポインティングボールに摩擦部材を当接するのに対して、刊行物１記載の発明では、この点が明確に記載されていない点。
（判断）
相違点（ア）について、
　マウス型入力装置として、ポインティングボールを把持部の上面に配置し、操作スイッチを把持部から突出させることによって、片手で把持しながら、ポインティング操作とスイッチ操作とを可能とするものが、刊行物２に記載されているので、刊行物１記載の発明において、マウス型入力装置として、刊行物２に記載されるものを採用することにより、上記相違点（ア）のように構成することは、当業者が容易に想到し得ることである。
相違点（イ）について
　マウス型入力装置のボールに摩擦部材を当接することが周知であるから（必要ならば、例えば、特開平５−１８１６００号公報、実願昭６１−１８５８３０号（実開昭６３−９２９４７号）のマイクロフィルムを参照）、刊行物１記載の発明において、摩擦部材をボールに当接させる周知の構成を採用することにより、上記相違点（イ）のように構成することは、当業者が容易に想到し得ることである。
　
【４】むすび
　したがって、本願の請求項１に係る発明は、上記刊行物１乃至２に記載された発明及び周知技術に基づいて当業者が容易に発明をすることができたものと認められるので、特許法第２９条第２項の規定により特許を受けることができない。
　したがって、本願は、特許請求の範囲の請求項２について、論及するまでもなく、拒絶すべきものである。
　よって、結論のとおり審決する。